(57)【要約】      （修正有）【課題】発電量を維持しつつ審美性を向上する太陽電池付き時計を提供する。【解決手段】太陽電池付き時計は、光透過性基板６０と、光透過性基板６０の視認面６０ａに部分的に設けられる第１の反射層７０と、視認面６０ａの反対側である裏面６０ｂのうち、平面視において少なくとも一部が第１の反射層７０に重ならない領域に設けられる第２の反射層８０と、を有する文字板１４と、文字板１４を透過した光が入射されることにより発電する太陽電池３０と、を含み、第２の反射層８０の光反射率は、第１の反射層７０の光反射率よりも高い。【選択図】図５
2020085519.tif 000002
【特許請求の範囲】
【請求項１】
光透過性基板と、前記光透過性基板の視認面に部分的に設けられる第１の反射層と、前記視認面の反対側である裏面のうち、平面視において少なくとも一部が前記第１の反射層に重ならない領域に設けられる第２の反射層と、を有する化粧板と、
前記化粧板を透過した光が入射されることにより発電する太陽電池と、
を含み、
前記第２の反射層の光反射率は、前記第１の反射層の光反射率よりも高い、
太陽電池付き発電装置。
【請求項２】
前記第２の反射層の一部は、平面視において前記第１の反射層と重なっている、
請求項１に記載の太陽電池付き発電装置。
【請求項３】
前記第２の反射層のうち、平面視において前記第１の反射層と重なる部分は、前記第１の反射層と重ならない部分よりも光反射率が高い、
請求項２に記載の太陽電池付き発電装置。
【請求項４】
複数の前記第１の反射層と、
複数の前記第２の反射層と、
を含み、
前記光透過性基板は、平面視において、前記第１の反射層と重なり前記第２の反射層と重ならない複数の第１の重畳領域と、前記第２の反射層と重なり前記第１の反射層と重ならない複数の第２の重畳領域とを含み、
前記第１の重畳領域と前記第２の重畳領域とは互い違いに設けられる、
請求項１〜３のいずれか１項に記載の太陽電池付き発電装置。
【請求項５】
前記光透過性基板は、互いに隣り合う前記第１の重畳領域と前記第２の重畳領域の間に、前記第１の反射層及び前記第２の反射層と重なる第３の重畳領域を含む、
請求項４に記載の太陽電池付き発電装置。
【請求項６】
前記視認面は平面であり、
前記第１の反射層と前記第２の反射層は、前記視認面に対して垂直に入射される光が、前記第１の反射層と前記第２の反射層の少なくとも一方に入射されるように設けられる、
請求項１〜５のいずれか１項に記載の太陽電池付き発電装置。
【請求項７】
前記第１の反射層と前記第２の反射層は、前記視認面に対して傾斜して入射される光の少なくとも一部が、前記第１の反射層及び第２の反射層を通らず前記太陽電池に入射されるように設けられる、
請求項１〜６のいずれか１項に記載の太陽電池付き発電装置。
【請求項８】
前記第１の反射層及び前記第２の反射層は、顔料を含み、
前記第２の反射層の方が、前記第１の反射層よりも、前記顔料の割合が高い、
請求項１〜７のいずれか１項に記載の太陽電池付き発電装置。
【請求項９】
前記第２の反射層に含まれる前記顔料の粒子径と、前記第１の反射層に含まれる前記顔料の粒子径は異なる大きさである、
請求項８に記載の太陽電池付き発電装置。
【請求項１０】
前記顔料は白色である、
請求項８又は９に記載の太陽電池付き発電装置。
【請求項１１】
前記第１の反射層及び前記第２の反射層は、金属からなる、
請求項１〜７のいずれか１項に記載の太陽電池付き発電装置。
【請求項１２】
前記第２の反射層の膜厚の方が、前記第１の反射層の膜厚よりも厚い、
請求項１〜１１のいずれか１項に記載の太陽電池付き発電装置。
【請求項１３】
平面視において、少なくとも前記視認面のうち第１の反射層が設けられていない領域に設けられる反射防止膜を有する、
請求項１〜１２のいずれか１項に記載の太陽電池付き発電装置。
【請求項１４】
請求項１〜１３のいずれか１項に記載の太陽電池付き発電装置を含み、
前記化粧板は文字板である、
太陽電池付き時計。
【請求項１５】
光透過性基板と、
前記光透過性基板の視認面に部分的に設けられる第１の反射層と、
前記視認面の反対側である裏面のうち、平面視において少なくとも一部が前記第１の反射層に重ならない領域に設けられる第２の反射層と、
を含み、光を透過することにより太陽電池へ光を入射させる文字板であって、
前記第２の反射層の光反射率は、前記第１の反射層の光反射率よりも高い、
文字板。
【発明の詳細な説明】
【技術分野】
【０００１】
本発明は、太陽電池付き発電装置、太陽電池付き時計、及び文字板に関する。
【背景技術】
【０００２】
特許文献１には、光透過性を有し、太陽電池へ外光を入射させる時計用文字板が開示されている。また、特許文献１に開示される文字板は、透明基板と、透明基板の上面及び下面に所定間隔毎に隙間を有するように配置される光反射層とを有し、入射された光の一部を透過し、他の一部を反射する構成となっている。
【先行技術文献】
【特許文献】
【０００３】
【特許文献１】特開平１１−５２０６７号公報
【発明の概要】
【発明が解決しようとする課題】
【０００４】
ここで、特許文献１に開示される文字板においては、透明基板の下面に設けられる光反射層に入射される前に、透明基板の上面において光の一部が反射される。そのため、透明基板の下面に設けられる光反射層に入射される光の光量は、透明基板の上面に設けられる光反射層に入射される光の光量よりも少なくなる。したがって、透明基板の下面に設けられる光反射層における光の反射量は、透明基板の上面に設けられる光反射層における光の反射量よりも少なくなる。その結果、ユーザから見て、文字板の色味にムラが生じ、審美性が低下してしまう可能性がある。
【０００５】
本発明は上記課題に鑑みてなされたものであって、その目的は、太陽電池付き発電装置において、発電量を維持しつつ審美性を向上することにある。
【課題を解決するための手段】
【０００６】
上記課題を解決すべく本出願において開示される発明は種々の側面を有しており、それら側面の代表的なものの概要は以下の通りである。
【０００７】
（１）光透過性基板と、前記光透過性基板の視認面に部分的に設けられる第１の反射層と、前記視認面の反対側である裏面のうち、平面視において少なくとも一部が前記第１の反射層に重ならない領域に設けられる第２の反射層と、を有する化粧板と、前記化粧板を透過した光が入射されることにより発電する太陽電池と、を含み、前記第２の反射層の光反射率は、前記第１の反射層の光反射率よりも高い、太陽電池付き発電装置。
【０００８】
（２）（１）において、前記第２の反射層の一部は、平面視において前記第１の反射層と重なっている、太陽電池付き発電装置。
【０００９】
（３）（２）において、前記第２の反射層のうち、平面視において前記第１の反射層と重なる部分は、前記第１の反射層と重ならない部分よりも光反射率が高い、太陽電池付き発電装置。
【００１０】
（４）（１）〜（３）のいずれかにおいて、複数の前記第１の反射層と、複数の前記第２の反射層と、を含み、前記光透過性基板は、平面視において、前記第１の反射層と重なり前記第２の反射層と重ならない複数の第１の重畳領域と、前記第２の反射層と重なり前記第１の反射層と重ならない複数の第２の重畳領域とを含み、前記第１の重畳領域と前記第２の重畳領域とは互い違いに設けられる、太陽電池付き発電装置。
【００１１】
（５）（４）において、前記光透過性基板は、互いに隣り合う前記第１の重畳領域と前記第２の重畳領域の間に、前記第１の反射層及び前記第２の反射層と重なる第３の重畳領域を含む、太陽電池付き発電装置。
【００１２】
（６）（１）〜（５）のいずれかにおいて、前記視認面は平面であり、前記第１の反射層と前記第２の反射層は、前記視認面に対して垂直に入射される光が、前記第１の反射層と前記第２の反射層の少なくとも一方に入射されるように設けられる、太陽電池付き発電装置。
【００１３】
（７）（１）〜（６）のいずれかにおいて、前記第１の反射層と前記第２の反射層は、前記視認面に対して傾斜して入射される光の少なくとも一部が、前記第１の反射層及び第２の反射層を通らず前記太陽電池に入射されるように設けられる、太陽電池付き発電装置。
【００１４】
（８）（１）〜（７）のいずれかにおいて、前記第１の反射層及び前記第２の反射層は、顔料を含み、前記第２の反射層の方が、前記第１の反射層よりも、前記顔料の割合が高い、太陽電池付き発電装置。
【００１５】
（９）（８）において、前記第２の反射層に含まれる前記顔料の粒子径と、前記第１の反射層に含まれる前記顔料の粒子径は異なる大きさである、太陽電池付き発電装置。
【００１６】
（１０）（８）又は（９）において、前記顔料は白色である、太陽電池付き発電装置。
【００１７】
（１１）（１）〜（７）のいずれかにおいて、前記第１の反射層及び前記第２の反射層は、金属からなる、太陽電池付き発電装置。
【００１８】
（１２）（１）〜（１１）のいずれかにおいて、前記第２の反射層の膜厚の方が、前記第１の反射層の膜厚よりも厚い、太陽電池付き発電装置。
【００１９】
（１３）（１）〜（１２）のいずれかにおいて、平面視において、少なくとも前記視認面のうち第１の反射層が設けられていない領域に設けられる反射防止膜を有する、太陽電池付き発電装置。
【００２０】
（１４）（１）〜（１３）のいずれかに記載の太陽電池付き発電装置を含み、前記化粧板は文字板である、太陽電池付き時計。
【００２１】
（１５）光透過性基板と、前記光透過性基板の視認面に部分的に設けられる第１の反射層と、前記視認面の反対側である裏面のうち、平面視において少なくとも一部が前記第１の反射層に重ならない領域に設けられる第２の反射層と、を含み、光を透過することにより太陽電池へ光を入射させる文字板であって、前記第２の反射層の光反射率は、前記第１の反射層の光反射率よりも高い、文字板。
【発明の効果】
【００２２】
上記本発明の（１）〜（１５）の側面によれば、発電量を維持しつつ審美性を向上することができる。
【図面の簡単な説明】
【００２３】
【図１】第１の実施形態に係る太陽電池付き時計を示す平面図である。
【図２】図１のＡ−Ａ切断線における断面図である。
【図３】文字板の一例を示す平面図である。
【図４】文字板の一例を示す平面図である。
【図５】第１の実施形態の文字板と太陽電池を示す断面図である。
【図６】第１の反射層及び第２の反射層における入射光と反射光を模式的に示す図である。
【図７】第２の実施形態の文字板を示す断面図である。
【図８】第３の実施形態の文字板を示す断面図である。
【図９】第４の実施形態の文字板を示す断面図である。
【図１０】第５の実施形態の文字板を示す断面図である。
【図１１】第６の実施形態の文字板を示す断面図である。
【発明を実施するための形態】
【００２４】
以下、本発明の各実施形態について図面に基づき詳細に説明する。
【００２５】
図１は、第１の実施形態に係る太陽電池付き時計を示す平面図である。図２は、図１のＡ−Ａ切断線における断面図である。なお、図２においては、後述の竜頭１３の図示は省略しており、また、指針の配置を分かりやすくするため、分針１６が９時の方向を向いており、時針１５及び秒針１７が３時の方向を向いている状態を示している。
【００２６】
図１には、太陽電池付き時計１の外装（時計ケース）である胴１０、胴１０内に配置された化粧板である文字板１４、時刻を示す指針である時針１５、分針１６、秒針１７が示されている。また、文字板１４には所定の位置に時字４９が設けられている。また、胴１０の１２時側及び６時側の側面からは、バンドを固定するためのバンド固定部１１が伸びている。また、胴１０の３時側の側面にはユーザが種々の操作を行うためのボタン１２、竜頭１３が配置されている。
【００２７】
なお、図１に示した時計のデザインは一例である。ここで示したもの以外にも、例えば、胴１０を丸型でなく角型にしてもよいし、ボタン１２や竜頭１３の有無、数、配置は任意である。また、図１においては、指針を時針１５、分針１６、秒針１７の３本としているが、これに限定されず、秒針１７を省略してもよいし、あるいは、曜日、タイムゾーンやサマータイムの有無、電波の受信状態や電池の残量、各種の表示を行う指針や、日付表示等を追加したりしてもよい。
【００２８】
なお、本明細書では、太陽電池付き時計１として、ＧＰＳ（Global Positioning System）衛星などの日付や時刻に関する情報を含む衛星信号を送信する衛星から当該衛星信号を受信し、それに含まれる日付や時刻に関する情報に基づき、時計内部に保持される内部時刻を修正する機能を有している衛星電波腕時計を示す。ただし、これに限られるものではなく、一般的な標準電波を受信して内部時刻を修正する電波時計であってもよいし、こうした時刻修正機能を備えない時計であってもよい。
【００２９】
図２に示すように、太陽電池付き時計１は、文字板１４を覆うようにガラス等の透明材料により形成された風防３２を有し、風防３２は胴１０に取り付けられている。また、風防３２の反対側においては裏蓋３６が胴１０に取り付けられている。本明細書では、以降、時計の風防３２が配置される側（図１における紙面手前側）を視認面側又は上面側、裏蓋３６が配置される側（図１における紙面奥側）を裏面側又は下面側と呼ぶこととする。また、各構成の視認面側の面を上面、裏面側の面を下面とも呼ぶこととする。
【００３０】
文字板１４の裏面側には、太陽電池３０が配置されている。太陽電池３０は、文字板１４を透過した外光が入射されることにより発電する。文字板１４の構成、及び文字板１４における光の透過、反射の詳細については後述する。
【００３１】
太陽電池３０は、シリコン等からなる半導体層と、その半導体層の上面及び下面に配置される電極層とを含み、外光が入射されることにより半導体層で発生した電荷を、電極層で回収し、電極層から蓄電池へ電力を供給する。
【００３２】
第１の実施形態においては、図１の破線で示すように、太陽電池３０は、平面形状が円形であり、その中心が文字板１４の中心Ｃに位置するように設けられる。そして、文字板１４の裏面側において、太陽電池３０が存在しない領域に衛星信号を受信するためのパッチアンテナ２０が配置されている。このように、パッチアンテナ２０を、平面視において太陽電池３０と重ならないように配置することにより、太陽電池３０に含まれる電極によるパッチアンテナ２０の受信感度への影響を抑制することができる。なお、第１の実施形態においては、アンテナとして、衛星信号を受信する平面アンテナであるパッチアンテナ２０を例に挙げるが、これに限られるものではなく、時刻情報等を含む電波を受信するものであれば他の種類のアンテナを用いても構わない。また、第１の実施形態においては、アンテナを有する電波時計を例に挙げて説明するが、電波時計に限られるものではない。その場合、受信感度への影響というものを考慮する必要はないため、太陽電池３０は文字板１４の全体に重畳するように設けられてもよい。そのような構成にすることにより、太陽電池３０の受光面積を大きくすることができ、発電効率が向上する。
【００３３】
図２に示すように、太陽電池付き時計１は、さらに、太陽電池３０の下側に設けられるムーブメント３８を有する。ムーブメント３８は、指針を駆動するための輪列とモータ、時刻を計時する水晶振動子を含む時計回路、太陽電池付き時計１全体を制御するコントローラ等を地板と呼ばれる枠に一体に組み付けたものである。ムーブメント３８は、ムーブメント３８に取り付けられた蓄電池から電力を得て動作する。蓄電池は、ムーブメント３８に電力を供給すると同時に、太陽電池３０により発電された電力を蓄積するものであり、例えば、ボタン型のリチウム二次電池である。
【００３４】
第１の実施形態においては、太陽電池３０は、ムーブメント３８に一体的に設けられている。また、ムーブメント３８には指針軸が文字板１４の視認面から突出するように設けられており、その先端に秒針１７、分針１６、時針１５が取り付けられている。そして、それらを覆うようにして風防３２が胴１０に固定されている。
【００３５】
図３は、文字板の一例を示す平面図である。文字板１４は、平面形状が円形の光透過性基板６０と、光透過性基板６０の視認面６０ａ（図５参照）にストライプ状に設けられる複数の第１の反射層７０と、光透過性基板６０の視認面６０ａの反対側である裏面６０ｂ（図５参照）にストライプ状に設けられる複数の第２の反射層８０とを含む。
【００３６】
なお、第１の反射層７０及び第２の反射層８０の形状は図３に示すものに限られるものではなく、少なくとも第１の反射層７０が光透過性基板６０の視認面６０ａに部分的に設けられているとよい。例えば、図４に示すように、光透過性基板６０に同心円状に設けられるものであってもよい。または、渦巻き状や、放射状に設けられるものであってもよい。
【００３７】
光透過性基板６０は、例えば、ポリカーボネート樹脂やアクリル樹脂からなるとよい。また、それらに限らず、光を透過する材料からなれば良く、例えば、フッ化樹脂やエチレン系樹脂等を使用しても良い。
【００３８】
第１の実施形態において、第１の反射層７０及び第２の反射層８０は、光透過性を有する樹脂に、白色の顔料が混ぜられてなる白色層であるとよい。光透過性の樹脂としては、光透過性基板６０で用いた材料と同じ材料を用いてもよいし、他の材料を用いてもよい。
【００３９】
第１の反射層７０及び第２の反射層８０においては、顔料の濃度に応じて、文字板１４の白さや、文字板１４における光透過率及び光反射率が調整される。反射層に入射された光は、反射層内における樹脂と顔料との界面で散乱するため、樹脂と顔料との界面の表面積の総和が大きい程、すなわち顔料の濃度が高い程、光反射率が高くなる。
【００４０】
顔料の濃度を高くすると、文字板１４の白さが増す一方で、文字板１４において反射される光の光量が多くなると共に文字板１４を透過する光の光量が少なくなるため、太陽電池３０に入射される光の光量が少なくなる。その結果、太陽電池３０における発電量が少なくなる。
【００４１】
顔料の濃度を低くすると、文字板１４の色が薄くなる一方で、文字板１４において反射される光の光量が少なくなると共に文字板１４を透過する光の光量が多くなるため、太陽電池３０に入射される光の光量が多くなる。その結果、太陽電池３０における発電量が多くなる。
【００４２】
さらに、図５を参照して、第１の実施形態の文字板１４の構成と、文字板１４における光の透過の詳細について説明する。図５は、第１の実施形態の文字板と太陽電池を示す断面図であり、図３のＶ−Ｖ切断線における断面図、又は図４のＶ−Ｖ切断線における断面図である。
【００４３】
なお、図５においては、矢印の指す方向は光が進む方向を示している。また、実線の矢印は、文字板１４に入射する前の入射光を示し、点線の矢印は、文字板１４における何れかの界面に入射されて透過した透過光を示している。文字板１４における何れかの界面に入射された光の一部は、反射されることとなるが、図５においては、反射光の図示は省略している。また、図５は断面を示す図であるが、図面が煩雑になることを避けるためハッチングを省略する。以降の図においても同様とする。
【００４４】
ここで、太陽電池３０は独特の濃紫色を有しているため、ユーザにとって、太陽電池３０が視認されない方が審美性の観点からは好ましい。文字板１４における光反射率が高い場合、ユーザは、文字板１４の色を認識することとなり、文字板１４の裏面側に配置される太陽電池３０を視認し難くなる。一方で、文字板１４を透過する光の光量が少ないと、太陽電池３０の発電量が少なくなってしまう。なお、ここで、光反射率とは、屈折率が異なる物質間の界面に入射される光束に対する反射される光束の割合である。また、第１の反射層７０の光反射率とは、空気や基板等の所定の物質に接した第１の反射層７０に、当該所定の物質を介して入射される光束に対する反射される光束の割合である。第２の反射層８０の光反射率についても同様である。
【００４５】
第１の実施形態においては、第１の反射層７０と第２の反射層８０が白色の顔料を含むため、第１の反射層７０と第２の反射層８０の少なくともいずれかで反射した光により、ユーザは、白色を視認することなる。
【００４６】
上述のように、文字板１４は、光透過性基板６０と、光透過性基板６０の視認面６０ａに設けられる複数の第１の反射層７０と、光透過性基板６０の裏面６０ｂに設けられる複数の第２の反射層８０とを含む。
【００４７】
第１の実施形態においては、第１の反射層７０は、光透過性基板６０の視認面６０ａに部分的に設けられている。具体的には、図３に示したように、複数の第１の反射層７０が所定の間隔を空けて、ストライプ状に配置されている。また、第２の反射層８０は、平面視において一部が第１の反射層７０に重ならないように、光透過性基板６０の裏面６０ｂに設けられている。具体的には、図３に示したように、複数の第２の反射層８０が所定の間隔を空けて、ストライプ状に配置されている。
【００４８】
また、第１の実施形態においては、図５に示すように、第１の反射層７０と第２の反射層８０とが、平面視において一部が重なるように互い違いに設けられている。
【００４９】
また、第１の実施形態においては、第１の反射層７０は、樹脂層７１と、樹脂層７１に含まれる白色の顔料７２とを含む。同様に、第２の反射層８０は、樹脂層８１と、樹脂層８１に含まれる白色の顔料８２とを含む。
【００５０】
以下の説明において、光透過性基板６０のうち、平面視において、第１の反射層７０と重なり第２の反射層８０と重ならない領域を第１の重畳領域Ｅ１と呼ぶ。また、光透過性基板６０のうち、平面視において、第２の反射層８０と重なり第１の反射層７０と重ならない領域を第２の重畳領域Ｅ２と呼ぶ。また、光透過性基板６０のうち、平面視において、第１の反射層７０及び第２の反射層８０の双方に重なる領域を第３の重畳領域Ｅ３と呼ぶ。図５に示すように、第１の重畳領域Ｅ１と第２の重畳領域Ｅ２とは交互に設けられており、第３の重畳領域Ｅ３は、互いに隣り合う第１の重畳領域Ｅ１と第２の重畳領域Ｅ２の間に設けられている。
【００５１】
図５においては、光透過性基板６０に対して垂直に入射される光であって、第１の重畳領域Ｅ１に入射される光を入射光Ｌ１、第２の重畳領域Ｅ２に入射される光を入射光Ｌ２、第３の重畳領域Ｅ３に入射される光を入射光Ｌ３として示している。
【００５２】
入射光Ｌ１は、第１の反射層７０の上面において、一部が反射され、他の一部が透過し、透過光Ｌ１１として、光透過性基板６０へと入射される。また、透過光Ｌ１１は、光透過性基板６０の上面において、一部が反射され、他の一部が透過し、透過光Ｌ１２として、太陽電池３０へと入射される。
【００５３】
入射光Ｌ２は、光透過性基板６０の上面において、一部が反射され、他の一部が透過し、透過光Ｌ２１として、第２の反射層８０へと入射される。また、透過光Ｌ２１は、第２の反射層８０の上面において、一部が反射され、他の一部が透過し、透過光Ｌ２２として、太陽電池３０へと入射される。
【００５４】
入射光Ｌ３は、第１の反射層７０の上面において、一部が反射され、他の一部が透過し、透過光Ｌ３１として、光透過性基板６０へと入射される。また、透過光Ｌ３１は、光透過性基板６０の上面において、一部が反射され、他の一部が透過し、透過光Ｌ３２として、第２の反射層８０へと入射される。また、透過光Ｌ３２は、第２の反射層８０の上面において、一部が反射され、他の一部が透過し、透過光Ｌ３３として、太陽電池３０へと入射される。
【００５５】
また、図５においては、光透過性基板６０に対して斜めに入射される光であって、第１の反射層７０と第２の反射層８０を通らず、光透過性基板６０のみを透過する光を入射光Ｌ４として示している。入射光Ｌ４は、光透過性基板６０の上面において、一部が反射され、他の一部が透過し、透過光Ｌ４１として、太陽電池３０へと入射される。
【００５６】
ここで、第２の反射層８０に入射される光（透過光Ｌ２１）の光量は、第１の反射層７０に入射される光（入射光Ｌ１）の光量よりも少ない。上述のように、第２の反射層８０に入射される光の光量は、少なくとも光透過性基板６０を透過した光であり、光透過性基板６０の上面において少なくとも一部は反射されるためである。また、光透過性基板６０を透過する光は、光透過性基板６０内で減衰することからも、第２の反射層８０に入射される光の光量は、第１の反射層７０に入射される光の光量よりも少なくなる。そのため、例えば、第１の反射層７０の光反射率と、第２の反射層８０の光反射率とが同じである場合、第１の重畳領域Ｅ１に比較して、第２の重畳領域Ｅ２が暗くなり、文字板１４の色味にムラができてしまう。
【００５７】
そこで、第１の実施形態においては、第２の反射層８０に含まれる顔料８２の割合を、第１の反射層７０に含まれる顔料７２の割合よりも高くした。すなわち、第２の反射層８０の光反射率を、第１の反射層７０の光反射率よりも高くした。
【００５８】
図６は、第１の反射層及び第２の反射層における入射光と反射光を模式的に示す図である。なお、図６においては、矢印の指す方向は光が進む方向を示しており、矢印の数は光量を模式的に示している。また、図６においては、視認面６０ａ側から文字板１４を見るユーザの目Ｕを示している。
【００５９】
図６に示すように、第１の反射層７０に対しては、空気層から光が直接入射されており、その入射光の光量は多い。また、その入射光の光量に応じて反射光が発生している。
【００６０】
一方で、第２の反射層８０に対しては、光透過性基板６０を透過した光が入射されており、その入射光の光量は、第１の反射層７０に入射される光の光量よりも少ない。しかしながら、第１の実施形態においては、第２の反射層８０に含まれる顔料８２の濃度を、第１の反射層７０に含まれる顔料７２の濃度よりも高くしたため、第２の反射層８０の光反射率は、第１の反射層７０の光反射率よりも高い。そのため、入射光に対する反射光の割合が、第２の反射層８０の方が第１の反射層７０よりも高い。なお、第２の反射層８０に含まれる顔料８２の濃度は、３０パーセント程度が好ましい。
【００６１】
以上説明した第１の実施形態においては、第２の反射層８０における反射光の光量と、第１の反射層７０における反射光の光量との差を小さくすることができ、文字板１４における反射光の光量のムラを低減できる。その結果、文字板１４の色ムラが低減され、審美性が向上することとなる。
【００６２】
また、第１の実施形態においては、第１の反射層７０と第２の反射層８０とを互い違いに配置したため、図５で示すように、光透過性基板６０に対して傾斜して入射される光の一部は、第１の反射層７０及び第２の反射層８０を通ることなく、太陽電池３０へ入射される。そのため、太陽電池３０に入射される光の光量を確保することができ、発電量を維持することができる。
【００６３】
また、第１の実施形態においては、第２の反射層８０の一部が、平面視において第１の反射層７０と重なる構成としたため、製造過程において、第２の反射層８０の配置に製造上の誤差が生じたとしても、光透過性基板６０において第１の反射層７０及び第２の反射層８０のいずれも設けられない領域が生じることはない。そのため、光透過性基板６０に対して垂直に入射された光が、第１の反射層７０と第２の反射層８０のいずれも通過することなく太陽電池３０へ入射されることはない。そのため、ユーザが文字板１４を正面から見た場合に太陽電池３０が視認され難い。すなわち、審美性が低下することがない。
【００６４】
また、第１の実施形態においては、第２の反射層８０の一部が、平面視において第１の反射層７０と重なる構成としたため、光透過性基板６０に対して斜めに入射される入射光Ｌ４（図５参照）のうち第２の反射層８０に入射される光が多くなるため、ユーザが文字板１４を斜めから見た場合においても、色ムラが目立ちにくくなる。
【００６５】
なお、第２の反射層８０の一部が、平面視において第１の反射層７０と重なる構成を採用すること、すなわち、光透過性基板６０が、第３の重畳領域Ｅ３を有することは必須ではない。すなわち、第１の反射層７０と第２の反射層８０とが互いに重なり合うことなく、互い違いに設けられる構成であってもよい。その場合、光透過性基板６０に対して斜めに入射される入射光Ｌ４（図５参照）のうち第２の反射層８０を通ることなく太陽電池３０へ入射される光の量が増え、太陽電池３０における発電量が向上することとなる。ただし、この場合であっても、光透過性基板６０において、平面視において第１の反射層７０と第２の反射層８０のいずれもが設けられない領域が無いとよい。すなわち、第１の反射層７０と第２の反射層８０は、視認面６０ａに対して垂直に入射される光が、第１の反射層７０と第２の反射層８０との少なくとも一方に入射されるように設けられるとよい。
【００６６】
なお、上記各実施形態においては、第１の反射層７０及び第２の反射層８０として、光透過性を有する樹脂に白色の顔料を混ぜてなる層を用いたが、これに限られるものではなく、白色以外の色の顔料を混ぜてなる層を用いてもよい。また、電波時計を採用した場合、アンテナの受信感度への影響を考慮して、顔料の材料としては、非導電性の材料を用いることが好ましい。また、樹脂に顔料を混ぜてなる層に限られるものでもなく、光透過性及び光反射性を有する金属層を用いてもよい。その場合、第１の反射層７０よりも第２の反射層８０の光反射率が高くなるような材料選択を行ったり、膜厚を調整したりするとよい。これにより、文字板１４において反射ムラが生じることを抑制し、審美性を向上することができる。特に、電波時計を採用した場合、アンテナの受信感度への影響を考慮して、反射層としての金属層の膜厚や、サイズを適切に決める必要がある。
【００６７】
また、第１の実施形態においては、光透過性基板６０に設けられる第１の反射層７０の総体積を、第２の反射層８０の総体積よりも大きくした。これにより、顔料を多く含む第２の反射層８０に使用する材料を少なくすることができ、顔料を節約し、コストの低減を図ることができる。
【００６８】
次に、図７を参照して、第２の実施形態の文字板２１４について説明する。図７は、第２の実施形態の文字板を示す断面図である。なお、第１の実施形態において説明した構成と同様の構成について同じ符号を用いて、その詳細な説明については省略する。
【００６９】
第２の実施形態においては、図７に示すように、光透過性基板６０の視認面６０ａ及び裏面６０ｂのうち、第１の反射層７０と第２の反射層８０が設けられていない領域に、反射防止膜９０を設けた。このように反射防止膜９０を設けることにより、光透過性基板６０と空気層との界面における光の反射を抑制し、文字板２１４の光沢を抑えることができる。すなわち、文字板２１４の見た目をマット調にすることができる。
【００７０】
なお、図７においては、反射防止膜９０を、視認面６０ａのうち第１の反射層７０が設けられていない領域（図５で示した第２の重畳領域Ｅ２）、及び裏面６０ｂのうち第２の反射層８０が設けられていない領域（図５で示した第１の重畳領域Ｅ１）に配置した例について示すが、これに限られるものではなく、少なくとも視認面６０ａのうち第１の反射層７０が設けられていない領域に配置されていればよい。
【００７１】
例えば、裏面６０ｂには反射防止膜９０を設けない構成としてもよい。また、視認面６０ａ側の全面に反射防止膜９０を設けてもよい。すなわち、第１の反射層７０の上面にも反射防止膜９０を設けてもよい。反射防止膜９０を部分的に設ける場合、マスク等を用いて成膜を行う必要が生じるが、視認面６０ａ側の全面に反射防止膜９０を設ける構成とすることで、製造工程を簡易にすることができる。
【００７２】
次に、図８を参照して、第３の実施形態の文字板３１４について説明する。図８は、第３の実施形態の文字板を示す断面図である。なお、第１の実施形態において説明した構成と同様の構成について同じ符号を用いて、その詳細な説明については省略する。
【００７３】
第３の実施形態においては、第２の反射層を、平面視において裏面６０ｂのうち第１の反射層７０と重ならない領域に設けられる第２の反射層８０と、第１の反射層７０と重なる領域に設けられる第２の反射層３８０とで構成した。
【００７４】
第３の実施形態においては、第２の反射層８０は、第１の実施形態で示したものと同様に、樹脂層８１と、樹脂層８１に含まれる白色の顔料８２とを含む。第２の反射層３８０は、樹脂層３８１と、樹脂層３８１に含まれる白色の顔料３８２とを含む。
【００７５】
そして、第２の反射層３８０の光反射率を、第２の反射層８０の光反射率よりも高くした。具体的には、第２の反射層３８０に含まれる顔料３８２の割合を、第２の反射層８０に含まれる顔料８２の割合よりも高くした。
【００７６】
ここで、光反射率は、入射角に依存することが知られている（フレネルの式）。具体的には、界面に入射される光の入射角が大きい程、光反射率が大きくなり、入射角が小さい程、光反射率が小さくなることが知られている。言い換えると、界面に入射される光の入射角が大きい程、光透過率が小さくなり、入射角が小さい程、光透過率が大きくなることが知られている。すなわち、界面に垂直に入射される光（入射角０度）の光透過率が最も高い。なお、ここで、光反射率とは、屈折率が異なる物質間の界面に入射される光束に対する反射される光束の割合である。また、光透過率とは、異なる物質間の界面に入射される光束に対する透過される光束の割合である。
【００７７】
したがって、図８に示す光Ｌのうち、光透過性基板６０に対して傾斜して入射されて、第２の反射層３８０に入射される光の光量は、光透過性基板６０に対して垂直に入射されて、第２の反射層８０に入射される光の光量よりも少ない。そのため、第２の反射層３８０と、第２の反射層８０との光反射率が同じであった場合、第２の反射層３８０で反射される光の光量は、第２の反射層８０で反射される光の光量よりも少なくなる。その場合、第２の反射層３８０付近が暗くなり、文字板３１４に色ムラが生じてしまう。
【００７８】
第３の実施形態においては、上述のように、第２の反射層３８０の光反射率を、第２の反射層８０の光反射率を高くしたため、第２の反射層８０における反射光の光量と、第２の反射層３８０における反射光の光量との差を小さくすることができ、文字板３１４における反射光の光量のムラを低減できる。その結果、文字板３１４の色ムラが低減され、審美性が向上することとなる。
【００７９】
次に、図９を参照して、第４の実施形態の文字板４１４について説明する。図９は、第４の実施形態の文字板を示す断面図である。なお、第３の実施形態において説明した構成と同様の構成について同じ符号を用いて、その詳細な説明については省略する。
【００８０】
第４の実施形態においては、図８で示した第２の反射層３８０を、第２の反射層８０を覆うように設けた。すなわち、平面視において第１の反射層７０と重ならない領域（図５で示した第２の重畳領域Ｅ２）においても、第２の反射層３８０を設けた。このような構成とすることにより、第３の実施形態で示した構成よりも、第２の反射層３８０を容易に設けることが可能となる。第３の実施形態においては、第２の反射層８０を設けた後、第２の反射層８０の両脇にそれぞれ第２の反射層３８０を、マスク等を用いて設ける必要がり、精度良く第２の反射層３８０を設けることが難しい。これに対して、第４の実施形態においては、１つの第２の反射層８０に近接する第２の反射層３８０を一体的に設ければよく、第２の反射層３８０を設けることが容易である。
【００８１】
次に、図１０を参照して、第５の実施形態の文字板５１４について説明する。図１０は、第５の実施形態の文字板を示す断面図である。なお、第１の実施形態において説明した構成と同様の構成について同じ符号を用いて、その詳細な説明については省略する。
【００８２】
第５の実施形態においては、光透過性基板６０の裏面６０ｂに、第２の反射層５８０を設けた。第２の反射層５８０は、樹脂層５８１と、樹脂層５８１に含まれる白色の顔料５８２とを含む。
【００８３】
そして、第５の実施形態においては、第２の反射層５８０の膜厚を、第１の反射層７０の膜厚よりも厚くした。反射層は、含まれる顔料の割合が同じである場合、膜厚が厚いほど、含まれる顔料の量が多くなるため、光反射率が高くなる。そのため、第２の反射層５８０の光反射率は、第１の反射層７０の光反射率よりも高い。第５の実施形態の構成においては、第１の実施形態と同様に、文字板５１４の色ムラを低減し、審美性を向上することができる。また、第５の実施形態においては、第１の反射層７０と第２の反射層５８０の材料を同じとしたため、顔料の割合の異なる材料を生成する必要がなく、製造工程を簡略化することができ、コストの削減を実現することもできる。
【００８４】
次に、図１１を参照して、第６の実施形態の文字板６１４について説明する。図１１は、第６の実施形態の文字板を示す断面図である。なお、第１の実施形態において説明した構成と同様の構成について同じ符号を用いて、その詳細な説明については省略する。
【００８５】
第６の実施形態においては、光透過性基板６０の裏面６０ｂに、第２の反射層６８０を設けた。第２の反射層６８０は、樹脂層６８１と、樹脂層６８１に含まれる白色の顔料６８２とを含む。
【００８６】
そして、第６の実施形態においては、第２の反射層６８０に含まれる顔料６８２の粒子径と、第１の反射層７０に含まれる顔料７２の粒子径を異なる大きさとした。ここで、本願の出願人の知見によると、顔料の粒子径が入射される光の波長に対して２分の１程度の粒子径である場合、反射層は最も散乱を生じやすくなる。そこで、第２の反射層６８０に含まれる顔料６８２の粒子径を、第２の反射層６８０に入射される光の波長の２分の１の大きさとし、第１の反射層７０に含まれる顔料７２の粒子径を顔料６８２の粒子径よりも小さくした。このような構成とすることにより、第２の反射層６８０の光反射率は、第１の反射層７０の光反射率よりも高くなる。第６の実施形態の構成においては、第１の実施形態と同様に、文字板６１４の色ムラを低減し、審美性を向上することができる。
【００８７】
図１１においては、第２の反射層６８０に含まれる顔料６８２の粒子径を、第１の反射層７０に含まれる顔料７２の粒子径よりも大きくした例について示すが、入射される光の波長の長さとの関係で、顔料６８２の粒子径を顔料７２の粒子径よりも小さくしても構わない。何れにしても、顔料６８２の粒子径が、入射される光の波長の２分の１の大きさに近い大きさであり、顔料７２の粒子径が、顔料６８２の粒子径よりも、入射される光の波長の２分の１の大きさから離れた大きさであるとよい。なお、顔料を節約し、コストを低減するという観点に基づくと、顔料６８２の粒子径を、入射される光の波長の２分の１の大きさとし、顔料７２の粒子径を顔料６８２の粒子径よりも小さくすることが好ましいといえる。
【００８８】
なお、第２の反射層８０の光反射率を第１の反射層７０の光反射率よりも高くする手段は、上記各実施形態で説明したものに限られない。例えば、反射層に含まれる樹脂層の屈折率と、顔料の屈折率との差が、第１の反射層７０よりも第２の反射層８０の方を大きくなるように材料選択してもよい。光は樹脂層と顔料との界面で反射するところ、それらの屈折率の差が大きいと、反射層に入射された光はより散乱しやすくなり、光反射率も高くなるためである。
【００８９】
なお、上記各実施形態においては、太陽電池付き時計１を例に挙げて説明したが、これに限られるものではなく、少なくとも、文字板１４等の化粧板と、太陽電池３０とを含む発電装置であればよい。例えば、センサーや照明機器用の太陽電池付き発電装置などであっても構わない。
【００９０】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００９１】
１  太陽電池付き時計、１０  胴、１１  バンド固定部、１２  ボタン、１３  竜頭、１４，２１４，３１４，４１４，５１４，６１４  文字板、１５  時針、１６  分針、１７  秒針、２０  パッチアンテナ、３０  太陽電池、３２  風防、３６  裏蓋、３８  ムーブメント、４９  時字、６０  光透過性基板、７０  第１の反射層、８０，３８０，５８０，６８０  第２の光反射層。
【図１】
2020085519.tif 000003
【図２】
2020085519.tif 000004
【図３】
2020085519.tif 000005
【図４】
2020085519.tif 000006
【図５】
2020085519.tif 000007
【図６】
2020085519.tif 000008
【図７】
2020085519.tif 000009
【図８】
2020085519.tif 000010
【図９】
2020085519.tif 000011
【図１０】
2020085519.tif 000012
【図１１】
2020085519.tif 000013